(57)【要約】【課題】様々な機能を有する機能部品から要望される機能部品を操作しやすい個所に容易に付加する。【解決手段】画像形成装置１０の操作面３１に隣接して前記操作面３１より低い位置に配置された平面部３２を備え、該平面部３２にクリップを載置する小物載置部材４０が取り外し可能に配置され、前記小物載置部材４０には、前記操作面を操作する操作者側から奥側に下がる傾斜面４２を備える。小物載置部材４０は取り外し可能として、他の機能部材であるメディア配置部７０を配置することができる。小物載置部材４０にはマグネットやスピーカを配置して、クリップ等を小物載置部材４０に吸着させることができる【選択図】図３
2010008732.tif 000002
【特許請求の範囲】
【請求項１】
機器の操作面に隣接して前記操作面より低い位置に配置された平面部を備え、
該平面部に前記平面部に所定の機能をなす機能部材が配置され、
前記機能部材には、前記操作面を操作する操作者側から奥側に下がる傾斜部を備えること特徴とする電子機器。
【請求項２】
前記機能部材の裏側もしくは下部には、磁力を帯びた部材が配置されていることを特徴とする請求項１記載の電子機器。
【請求項３】
前記磁力を帯びた部材は電子機器の内部に配置されたスピーカであることを特徴とする請求項２記載の電子機器。
【請求項４】
前記電子機器本体と別部材として設けられて複数種の機能部材が準備され、前記平面部には複数の機能部材から選択して配置されることを特徴とする請求項１記載の電子機器。
【請求項５】
前記機能部材は、機器本体の色と異なる材料、又は、透明の材料で形成されていることを特徴とする請求項１乃至４のいずれか記載の電子機器。
【請求項６】
前記平面部以外の個所に設置され、前記平面部に配置される機能部材以外の機能部材を保持する部材保持部を備えることを特徴とする請求項１乃至５記載の電子機器。
【請求項７】
画像形成装置であることを特徴とする請求項１乃至６記載の電子機器。
【発明の詳細な説明】
【技術分野】
【０００１】
本発明は、電子機器に係り、特に様々な機能を備えた機能部材を使用しやすい位置に配置された電子機器に関する。
【背景技術】
【０００２】
電子機器、例えば画像形成装置では、ユーザの多様な希望に呼応して、様々な機能部材が配置されている。
【０００３】
特許文献１には、原稿の走査部と、該走査部下方に位置する画像形成処理部と、縦方向で該走査部及び画像形成処理部の間に形成された空間からなる記録シート排出部と、上記走査部の前面に操作パネル部とを備えた筐体からなる画像形成装置において、上記操作パネル部の下方で上記記録シート排出部における縦方向の空間内にクリップやステープラ針などの小物の保存部を設けたものが記載されている。これは、小物置場という機能部材を操作パネルと排紙部の間の空間に配置し、排出部の視認性確保、小物の落下防止を行うものである。
【０００４】
また、特許文献２には、画像形成手段により画像形成された用紙を排紙手段により排紙皿上に排出する画像形成装置において、排紙皿の一部に、事務用小物物品を収容可能にする凹部を形成したものが記載されている。これは、小物置場という機能部材を排紙トレイ上に配置し、利用者の操作性を向上させるものである。
【０００５】
更に、特許文献３には、画像形成装置本体上に備えられた小物入れを、機械本体から取り外し自在に配設し、小物入れの受け皿の中央に取っ手を兼ねた設け、クリップ及びステープル針を分別収納し、小物入れの形状は、底面から滑らかな曲線構造で傾けるだけで、収納物を簡単に取り出すことできるものが記載されている。これは、クリップ及びステープラ針を所定形状に構成し、取り外し可能に画像形成装置本体に配置したものである。
【０００６】
【特許文献１】特開２００７−２４８５５５
【特許文献２】特開２００１−１０６４１５
【特許文献３】特開２００５−４３６３３
【発明の開示】
【発明が解決しようとする課題】
【０００７】
ところで、前述した各特許文献に記載のものは、配置される機能部材は固定して機器に配置されるから、その機能は１種類のものに限定されている。その結果、前記機能部材を配置するとそのスペースが占有されてしまうこととなり、今日機器サイズが縮小されるという技術的動向に鑑みると他の付加機能を追加したいときには邪魔になる場合がある。
【０００８】
そこで、本発明は様々な機能を有する機能部品から要望される機能部品を操作しやすい個所に容易に付加することができる電子機器を提供することを目的とする。
【課題を解決するための手段】
【０００９】
請求項１の発明は、機器の操作面に隣接して前記操作面より低い位置に配置された平面部を備え、該平面部に前記平面部に所定の機能をなす機能部材が配置され、前記機能部材には、前記操作面を操作する操作者側から奥側に下がる傾斜部を備えること特徴とする電子機器である。
【００１０】
請求項２の発明は、請求項１記載の電子機器において、前記機能部材の裏側もしくは下部には、磁力を帯びた部材が配置されていることを特徴とする。
【００１１】
請求項３の発明は、請求項２記載の電子機器において、前記磁力を帯びた部材は電子機器の内部に配置されたスピーカであることを特徴とする。
【００１２】
請求項４の発明は、請求項１記載の電子機器において、前記電子機器本体と別部材として設けられて複数種の機能部材が準備され、前記平面部には複数の機能部材から選択して配置されることを特徴とする。
【００１３】
請求項５の発明は、請求項１乃至４のいずれか記載の電子機器において、前記機能部材は、機器本体の色と異なる材料、又は、透明の材料で形成されていることを特徴とする。
【００１４】
請求項６の発明は、請求項１乃至５記載の電子機器において、前記平面部以外の個所に設置され、前記平面部に配置される機能部材以外の機能部材を保持する部材保持部を備えることを特徴とする。
【００１５】
請求項７の発明は、請求項１乃至６記載の電子機器において、画像形成装置であることを特徴とする。
【発明の効果】
【００１６】
本発明に係る電子機器によれば、操作部の近傍に所望の機能部材を自由に配置でき、その際に、作業性や視認性、多様性を損なうことなく、もしくは向上させることができる。
【発明を実施するための最良の形態】
【００１７】
以下本発明を実施するための最良の形態としての実施例を図面に基づいて説明する。
【実施例】
【００１８】
以下本発明に係る電子機器の実施例を図面に基づいて説明する。以下電子機器として画像形成装置を例として説明する。図１は画像形成装置の斜視図、図２は画像形成装置の上部を拡大して示す斜視図、図３は機能部材である小物載置部材を取り付けた平面部を示す拡大斜視図である。本例では、画像形成装置１０は、画像形成部１１，画像読取部１２，操作部１３を備えており、画像形成部１１と、操作部１３の間には空間部が形成され、排紙部１４が設けられている。
【００１９】
本例では、図３に示すように、操作部１３の操作面３１に隣接して垂直面２０及びこの垂直面２０に突出形成される平面部３２が形成されている。この例では平面部３２は、操作面３１に対してＡだけ下方に位置するよう構成される。そして、この平面部３２は、機能部材として書類を綴じるクリップ、ステープル芯等を載置する小物載置部材４０が配置されている。小物載置部材４０は、クリップのマークが記載された底部４１と、この底部４１の四方に配置された傾斜面４２，４３，４４，４５とを備えて形成されている。
【００２０】
ここで、本例において傾斜面４２は、操作部１３を操作する操作者側から奥側に向けて下方に下がるよう構成されている他、小物載置部材４０の底部４１の裏面（装置内側）には、磁力を帯びた部材としてマグネットシートが貼り付けられている。このため小物載置部材４０からクリップ等が手前側に落下することを防止できる他、クリップ等を磁力より小物載置部材４０の底部４１に付着させることができる。尚、小物載置部材４０の裏側に配置される磁力を帯びた部材としては、永久磁石を備えたスピーカを配置することができ、この場合、スピーカを操作者の近くに配置でき、音が聞こえやすくなる他、スピーカの磁力よりクリップなどを小物載置部材４０の底部４１に付着させることができる。
【００２１】
本例によれば、小物載置部材４０は操作部１３から所定寸法Ａだけ下方に設けられる平面部３２に配置されるので、操作性に優れる他、クリップは磁力を帯びた部材で小物載置部材４０の底部４１に吸い付けられる他、傾斜面４２は手前から奥側に向け下方に傾斜しているので、クリップが落下しにくく、小物載置部材４０内に確実に保持される。
【００２２】
次に前記実施例の変形例について説明する。図４は実施例に係る画像形成装置の変形例を示す斜視図である。本例では、小物載置部材５０は、平面部３２の表面パネル３４とは別部品として構成される。
【００２３】
従って本例によれば、画像形成装置１０の小物載置部材５０に換え他の機能部材を配置できる。他の機能部材としては、クリップ載置部材、メディア載置部材等の小物載置部材、指紋認証装置、顔認証装置、虹彩認証装置等の生体認証装置のセンサ等を採用できる。図５は平面部に他の機能部材を配置した例を示す斜視図である。本例では画像形成装置１０の平面部３２の近傍には、このメディアリーダーオプション６０にはＵＳＢスロット６１及びＳＤカードスロット６２等を備えたメディアリーダーオプション６０が配置されており、機能部品として、深い皿部７１を備えたメディア配置部７０と交換することができる。
【００２４】
また、上記例では、小物載置部材４０、５０、メディア配置部７０としては、平面部３２と同一の材質の同色のものとすることができ、この場合全体として連続感があり見栄えがよい。また、本発明では、小物載置部材等の機能部材を透明の素材で形成することができ、この場合操作者は排紙用の排紙部１４を上から透過して見ることができるため、排出された紙の視認性が向上する。
【００２５】
また、本発明では、前記機能部材として、クリップ、メディア載置用の小物載置部材、指紋認証装置、顔認証装置、虹彩認証装置等の生体認証装置のセンサ等を準備しておき、製造時、設置時に適宜選択して配置することができる。従って、各種機能部材の中から必要な機能を備える部材を装置に配置して多様な機能に対応することができる。
【００２６】
そして、本発明では、前記平面部以外の個所、例えば装置の内部や側面部に機能部材を保持しておく機能部材保持部を配置し、この機能部材保持部に他の機能を備える機能部材を保持しておき、適宜平面部に配置する機能部材を交換することができる。この例によれば、平面部に必要な機能部材を配置できるので、装置の使用効率を高めることができる他、ユーザの希望により機能部材を複数種類用意してユーザの希望により選択して取り付けることができ、残りの部品を前記機能部材保持部に保持しておくことができ、紛失を防ぐことができる。
尚、上記各例では、電子機器として画像形成装置を例としたが、電子機器は画像形成装置には限定されず、他の電子機器であってもよい。
【図面の簡単な説明】
【００２７】
【図１】画像形成装置の斜視図である。
【図２】画像形成装置の上部を拡大して示す斜視図である。
【図３】機能部材である小物載置部材を取り付けた平面部を示す拡大斜視図である。
【図４】実施例に係る画像形成装置の変形例を示す斜視図である。
【図５】平面部に他の機能部材を配置した例を示す斜視図である。
【符号の説明】
【００２８】
１０  画像形成装置
１１  画像形成部
１２  画像読取部
１３  操作部
１４  排紙部
２０  垂直面
３１  操作面
３２  平面部
３４  表面パネル
４０  小物載置部材
４１  底部
４２，４３，４４，４５  傾斜面
５０  小物載置部材
６０  メディアリーダーオプション
６１  ＵＳＢスロット
６２  ＳＤカードスロット
７０  メディア配置部
７１  皿部
【図１】
2010008732.tif 000003
【図２】
2010008732.tif 000004
【図３】
2010008732.tif 000005
【図４】
2010008732.tif 000006
【図５】
2010008732.tif 000007